(57)【要約】【課題】リーダライタ側との相互動作と機器側との相互動作とを調和的に行わせることが可能なプラグ装置およびこれを組み込んだ機器を提供すること。【解決手段】非接触および有線の２つのインターフェース部と、機器の側から電力を受けるための電力導入部と、リーダライタの無線を源泉とする電力発生部と、電力導入部および電力発生部に接続された、データを不揮発に書き込み読み出し可能な第１メモリ部と、電力導入部および電力発生部に接続された、両インターフェースを介して得た第１メモリ部に書き込むべきデータの書き込み制御を行い、かつ第１メモリ部からのデータの読み出し制御を行うメモリ制御部と、リーダライタから電波被照射中であることを示す信号を生成する信号生成部と、電力導入部および有線インターフェース部に接続された、データを不揮発に書き込み読み出し可能で第１メモリ部より容量大の第２メモリ部とを具備する。【選択図】図１
2013156740.tif 000002
【特許請求の範囲】
【請求項１】
リーダライタとの無線によるデータ通信を行うための非接触インターフェース部と、
機器との有線によるデータ通信を行うための有線インターフェース部と、
前記機器の側から電力供給を受けるための電力導入部と、
前記リーダライタからの無線をエネルギー源として電力を発生する電力発生部と、
前記電力導入部に加えて前記電力発生部からも電力供給がされ得るように前記電力導入部および前記電力発生部に接続された、データを不揮発に書き込み、読み出し可能なメモリ部である第１のメモリ部と、
前記電力導入部に加えて前記電力発生部からも電力供給がされ得るように前記電力導入部および前記電力発生部に接続され、かつ前記非接触インターフェース部および前記有線インターフェース部に接続された、前記非接触インターフェースを介して得た前記第１のメモリ部に書き込むべきデータの書き込み制御を前記第１のメモリ部に対して行い、かつ、前記有線インターフェースを介して得た前記第１のメモリ部に書き込むべきデータの書き込み制御を前記第１のメモリ部に対して行い、かつ、前記リーダライタに送出すべきデータの読み出し制御を前記第１のメモリ部に対して行って該データを前記非接触インターフェース部に供給し、かつ、前記機器に送出すべきデータの読み出し制御を前記第１のメモリ部に対して行って該データを前記有線インターフェース部に供給するメモリ制御部と、
前記電力発生部が発生した電力に基づき、前記リーダライタから電波被照射中であることを示す信号を電磁界検出信号として生成する検出信号生成部と、
前記電力導入部から電力供給がされ得るように前記電力導入部に接続され、加えて、書き込むべきデータの供給を前記有線インターフェースから受けかつ読み出したデータを前記有線インターフェースに供給し得るように前記有線インターフェース部に接続された、データを不揮発に書き込み、読み出し可能で前記第１のメモリ部より容量大の第２のメモリ部と
を具備することを特徴とするプラグ装置。
【請求項２】
前記有線インターフェース部が、前記機器との電気的な接続を行うためのＵＳＢコネクタを含むことを特徴とする請求項１記載のプラグ装置。
【請求項３】
リーダライタとの無線によるデータ通信を行うための非接触インターフェース部と；機器との有線によるデータ通信を行うための有線インターフェース部と；前記機器の側から電力供給を受けるための電力導入部と；前記リーダライタからの無線をエネルギー源として電力を発生する電力発生部と；前記電力導入部に加えて前記電力発生部からも電力供給がされ得るように前記電力導入部および前記電力発生部に接続された、データを不揮発に書き込み、読み出し可能なメモリ部である第１のメモリ部と；前記電力導入部に加えて前記電力発生部からも電力供給がされ得るように前記電力導入部および前記電力発生部に接続され、かつ前記非接触インターフェース部および前記有線インターフェース部に接続された、前記非接触インターフェースを介して得た前記第１のメモリ部に書き込むべきデータの書き込み制御を前記第１のメモリ部に対して行い、かつ、前記有線インターフェースを介して得た前記第１のメモリ部に書き込むべきデータの書き込み制御を前記第１のメモリ部に対して行い、かつ、前記リーダライタに送出すべきデータの読み出し制御を前記第１のメモリ部に対して行って該データを前記非接触インターフェース部に供給し、かつ、前記機器に送出すべきデータの読み出し制御を前記第１のメモリ部に対して行って該データを前記有線インターフェース部に供給するメモリ制御部と；前記電力発生部が発生した電力に基づき、前記リーダライタから電波被照射中であることを示す信号を電磁界検出信号として生成する検出信号生成部と；前記電力導入部から電力供給がされ得るように前記電力導入部に接続され、加えて、書き込むべきデータの供給を前記有線インターフェースから受けかつ読み出したデータを前記有線インターフェースに供給し得るように前記有線インターフェース部に接続された、データを不揮発に書き込み、読み出し可能で前記第１のメモリ部より容量大の第２のメモリ部と；を有するプラグ装置と、
前記プラグ装置を組み込むべき前記機器と
を具備することを特徴とするプラグ装置組み込み機器。
【発明の詳細な説明】
【技術分野】
【０００１】
本発明は、各種の機器に接続することが可能なプラグ装置およびこれを組み込んだ機器に係り、特に、リーダライタからの照射電波で非接触通信を行うプラグ装置およびこれを組み込んだ機器に関する。
【背景技術】
【０００２】
近年、非接触データ通信の形態に広がりが出ている。もともとはＩＣタグ（無線タグ、ＲＦＩＤタグ、非接触データキャリアなどともいう）とこれにデータを書き込みまたは読み出すリーダライタとの組み合わせで使用されている。この場合、ＩＣタグが自身から電波を発するのは、もっぱらリーダライタ側からの電波照射を電力的に利用した場合に限られるので、その意味でＩＣタグはパッシブな存在である。ＩＣタグは、各種の機器や物品に付され使用される。リーダライタには、ＩＣタグまたはこれを付した機器や物品の種類に応じて専用のものが使われることが多いが、最近は、例えばスマートフォンのようなある種汎用の電子機器をリーダライタとする応用も考えられている。
【０００３】
また、逆に、特定の機器や物品の側をリーダライタとして機能させ、この機器や物品として必要な情報をＩＣタグ相当の機器との非接触通信を行って取り込む形態も使われている。特定の機器や物品の側をリーダライタとして機能させるために組み込むモジュールが開発されており、この場合のＩＣタグ相当の機器としては、例えばやはりスマートフォンのような電子機器が使用される。このときのスマートフォンはパッシブな存在である。
【０００４】
ＩＣタグは、一般にこれを付した機器や物品とは電気的に非接続であるが、ＩＣタグと同様な機能を有する部分をモジュール化しこれを電気的に組み込んだ構成も存在する（例えば特許文献１を参照）。一方、リーダライタは、一般に、これを備えた機器や物品の構成物と電気的に接続されている。
【先行技術文献】
【特許文献】
【０００５】
【特許文献１】特開２０１０−１３４６７２号公報
【特許文献２】特開２０００−２２７９５４号公報
【発明の概要】
【発明が解決しようとする課題】
【０００６】
本発明は、各種の機器に接続することが可能なプラグ装置およびこれを組み込んだ機器において、リーダライタからの照射電波で非接触通信ができ、また、機器との電気的な接続ができ、さらに、リーダライタ側との相互動作と機器側との相互動作とを調和的に行わせることが可能なプラグ装置およびこれを組み込んだ機器を提供することを目的とする。
【課題を解決するための手段】
【０００７】
上記の課題を解決するため、本発明の一態様であるプラグ装置は、リーダライタとの無線によるデータ通信を行うための非接触インターフェース部と、機器との有線によるデータ通信を行うための有線インターフェース部と、前記機器の側から電力供給を受けるための電力導入部と、前記リーダライタからの無線をエネルギー源として電力を発生する電力発生部と、前記電力導入部に加えて前記電力発生部からも電力供給がされ得るように前記電力導入部および前記電力発生部に接続された、データを不揮発に書き込み、読み出し可能なメモリ部である第１のメモリ部と、前記電力導入部に加えて前記電力発生部からも電力供給がされ得るように前記電力導入部および前記電力発生部に接続され、かつ前記非接触インターフェース部および前記有線インターフェース部に接続された、前記非接触インターフェースを介して得た前記第１のメモリ部に書き込むべきデータの書き込み制御を前記第１のメモリ部に対して行い、かつ、前記有線インターフェースを介して得た前記第１のメモリ部に書き込むべきデータの書き込み制御を前記第１のメモリ部に対して行い、かつ、前記リーダライタに送出すべきデータの読み出し制御を前記第１のメモリ部に対して行って該データを前記非接触インターフェース部に供給し、かつ、前記機器に送出すべきデータの読み出し制御を前記第１のメモリ部に対して行って該データを前記有線インターフェース部に供給するメモリ制御部と、前記電力発生部が発生した電力に基づき、前記リーダライタから電波被照射中であることを示す信号を電磁界検出信号として生成する検出信号生成部と、前記電力導入部から電力供給がされ得るように前記電力導入部に接続され、加えて、書き込むべきデータの供給を前記有線インターフェースから受けかつ読み出したデータを前記有線インターフェースに供給し得るように前記有線インターフェース部に接続された、データを不揮発に書き込み、読み出し可能で前記第１のメモリ部より容量大の第２のメモリ部とを具備することを特徴とする。
【０００８】
このプラグ装置は、リーダライタの動作状態と機器の動作状態との組み合わせに応じて適切に動作できるように構成されている。換言すると、リーダライタ側との相互動作と機器側との相互動作とを調和的に行わせるべく構成されている。これは以下による。すなわち、「機器の側から電力供給を受けるための電力導入部」および「リーダライタからの無線をエネルギー源として電力を発生する電力発生部」を具備することを前提として、メモリ部およびメモリ制御部が、電力導入部に加えて電力発生部からも電力供給がされ得るように電力導入部および電力発生部に接続されている。また、リーダライタから電波被照射中であることを示す信号を電磁界検出信号として生成する検出信号生成部をさらに具備している。
【発明の効果】
【０００９】
本発明によれば、各種の機器に接続することが可能なプラグ装置およびこれを組み込んだ機器において、リーダライタからの照射電波で非接触通信ができ、また、機器との電気的な接続ができ、さらに、リーダライタ側との相互動作と機器側との相互動作とを調和的に行わせることが可能なプラグ装置およびこれを組み込んだ機器を提供することができる。
【図面の簡単な説明】
【００１０】
【図１】本発明の一実施形態であるプラグ装置の構成を、その連携するリーダライタ（スマートフォン）および各種機器（例としてＰＣ）の位置づけとともに示す機能ブロック図。
【図２】図１に示したプラグ装置における、リーダライタの動作状態とＰＣの動作状態との組み合わせで考えられる動作モードを示す説明図。
【図３】図１に示したプラグ装置を配線基板を用いて実現した場合の構成例を示す模式的な上面図。
【発明を実施するための形態】
【００１１】
本発明の実施態様として、前記有線インターフェース部が、前記機器との電気的な接続を行うためのＵＳＢ（universal serial bus）コネクタを含む、とすることができる。ＵＳＢコネクタは汎用の着脱可能なコネクタであり、よって機器へのプラグ装置の接続をユーザが必要に応じて自由に行うことができる。プラグ装置を複数の機器に共通に利用することもできる。
【００１２】
以上を踏まえ、以下では本発明の実施形態を図面を参照しながら説明する。図１は、一実施形態であるプラグ装置の構成を、その連携するリーダライタ（スマートフォン）および各種機器（例としてＰＣ）の位置づけとともに示す機能ブロック図である。同図に示すように、このプラグ装置１は、コイルアンテナ１０、無線側接続部１１、電力発生部１２、メモリ制御部１３、メモリ部１４（メモリ部Ｉ）、端子部１５、有線側接続部１６、電力導入部１７、検出信号出力部１８、メモリ部１９（メモリ部ＩＩ）を有する。
【００１３】
コイルアンテナ１０および無線側接続部１１が非接触インターフェース部を構成し、この非接触インターフェース部は、この装置１とリーダライタ５０との無線によるデータ通信を行うために利用される。また、端子部１５および有線側接続部１６が有線インターフェース部を構成し、この有線インターフェース部は、この装置１とＰＣ（ホストＣＰＵ）６０との有線によるデータ通信を行うために利用される。
【００１４】
コイルアンテナ１０は、リーダライタ５０からの照射電波（電磁界、無線）を感知しそのエネルギーおよびそれに含まれた情報を無線側接続部１１に伝送する。また、この照射電波の応答として、無線側接続部１１を介して供給された、情報の重畳された電力により、リーダライタ５０に照射すべき電磁界を発生する。
【００１５】
無線側接続部１１は、コイルアンテナ１０から伝えられたエネルギーとそれに含まれた情報とを切り離し、エネルギーについては電力発生部１２に送り、情報については、メモリ制御部１３に供給する。また、電力発生部１２が発生した電力を受けてこれをコイルアンテナ１０に供給するとともに、この電力に、メモリ制御部１３から供給された、メモリ部１４の読み出しデータである情報を重畳させる。無線側接続部１１から、情報が重畳された電力がコイルアンテナ１０に伝送される。
【００１６】
電力発生部１２は、無線側接続部１１を介して送られた無線のエネルギーを源泉として、無線側接続部１１のほか、メモリ制御部１３、メモリ部１４に供給する電力を発生する。また、電力の発生がされた旨を検出信号出力部１８に伝える。
【００１７】
メモリ制御部１３は、電力導入部１７に加えて電力発生部１２からも電力供給がされ得るように電力導入部１７および電力発生部１２に接続されている。電力導入部１７は、有線側接続部１６を介した、ＰＣ６０の側からの電力の導入部である。
【００１８】
また、メモリ制御部１３は、非接触インターフェース部（無線側接続部１１）および有線インターフェース部（有線側接続部１６）に接続されている。これにより、無線側接続部１１を介して得たメモリ部１４に書き込むべきデータの書き込み制御をメモリ部１４に対して行い、かつ、有線側接続部１６を介して得たメモリ部１４に書き込むべきデータの書き込み制御をメモリ部１４に対して行う。加えて、リーダライタ５０に送出すべきデータの読み出し制御をメモリ部１４に対して行ってこのデータを無線側接続部１１に供給し、かつ、ＰＣ６０に送出すべきデータの読み出し制御をメモリ部１４に対して行ってこのデータを有線側接続部１６に供給する。
【００１９】
メモリ部１４は、電力導入部１７に加えて電力発生部１２からも電力供給がされ得るように電力導入部１７および電力発生部１２に接続された、データを不揮発に書き込み、読み出し可能なメモリである（例えばＥＥＰＲＯＭ）。データの書き込み、読み出しはメモリ制御部１３により制御される。
【００２０】
端子部１５は、この装置１とＰＣ６０との電気的接続を行うための、端子を複数備えた物理的な部品であり、ここでは例としてＵＳＢコネクタを使用している。一般には、この装置１をＰＣ６０のほか各種の機器に恒久的に組み込むためのコネクタとして設けてもよい。ＵＳＢコネクタのような着脱可能なコネクタを設けた場合は、各種機器へのプラグ装置１の接続をユーザが必要に応じて自由に行うことができる。また、ひとつのプラグ装置１を各種機器に共通に利用することもできる。
【００２１】
有線側接続部１６は、端子部１５の各端子、メモリ制御部１３、およびメモリ部１９に接続され、これにより、端子部１５とメモリ制御部１３またはメモリ部１９との間のデータ（情報）の流れをバファリング（仲介）する。さらには、端子部１５を介してＰＣ６０の側から供給される電力を電力導入部１７に送る。また、検出信号出力部１８が生成した信号（後述する電磁界検出信号）を端子部１５に伝える仲介を行う。
【００２２】
電力導入部１７は、ＰＣ６０の側を源泉とする電力の導入部であり、導入された電力をメモリ制御部１３、メモリ部１４、およびメモリ部１９に供給するため、有線側接続部１６と、メモリ制御部１３、メモリ部１４、およびメモリ部１９との間に位置する。そのハードウエアとして、より具体的に例えば、降圧電源回路、リップル抑制デカップリングフィルタ回路、あるいは単なる導線などが考えられる。
【００２３】
検出信号出力部１８は、電力発生部１２が発生した電力に基づき、リーダライタ５０から電波被照射中であることを示す信号を電磁界検出信号として生成する。生成された電磁界検出信号は、有線側接続部１６に送られる。この電磁界検出信号は、この装置１が、リーダライタ５０と交信中であることをＰＣ６０の側に伝えるための信号である（後述を参照）。検出信号出力部１８のハードウエアとしては、より具体的に、例えば、バッファ回路や、あるいは単なる導線とすることも考えられる。
【００２４】
メモリ部１９は、電力導入部１７から電力供給がされ得るように電力導入部１７に接続され、加えて、書き込むべきデータの供給を有線側接続部１６から受けかつ読み出したデータを有線側接続部１６に供給し得るように有線側接続部１６に接続された、データを不揮発に書き込み、読み出し可能なメモリである（例えばフラッシュメモリ）。このメモリ部１９は、上記のメモリ部１４より容量大であり、これにより、この装置１をいわゆる（単なる）ＵＳＢメモリとしても動作させ得るように意図している。メモリ部１９へのデータの書き込み、およびメモリ部１９からのデータの読み出しの制御は、ＰＣ６０の側からなされる。
【００２５】
以上、プラグ装置１の構成について説明した。プラグ装置１が接続され得る機器には、ＰＣ６０のほか、次のようなものも想定することができる。例えば、タブレット端末、ＣＰＵを備えた各種ＡＶ機器、ＣＰＵを備えた、オーブンや電子レンジのような調理器具、ＣＰＵを備えたナビゲーションシステム、ＣＰＵを備えたディジタルフォトフレームやフォトプリンタなどである。図１中に示したように、ＰＣ６０をはじめこれらの機器は、ＡＣ電源駆動の場合と電池駆動の場合、両者考えられる。
【００２６】
次に、図２は、図１に示したプラグ装置１における、リーダライタ５０の動作状態とＰＣ６０の動作状態との組み合わせで考えられる動作モードを示す説明図である。図２に示すように、プラグ装置１の動作モードとしては、リーダライタ５０の状態で大きく２つに分けることができ、さらに、そのそれぞれにおいて、ＰＣ６０がオフのとき、オンのとき、オンでかつプラグ装置１のメモリ部１４とアクセス状態であるとき、オンでかつプラグ装置１のメモリ部１９とアクセス状態であるとき、の４つの状態が考えられる。これにより、合計８つの動作モードが示される。
【００２７】
モード番号１から４は、リーダライタ５０がプラグ装置１とアクセスしていない状態（つまりリーダライタ５０がプラグ装置１と非近接である状態）のときのモードである。この場合、ＰＣ６０が電源オフであれば、当然ながらプラグ装置１としても何らの動作もしない（モード番号１）。ＰＣ６０が電源オンであれば、ＰＣ６０の側からプラグ装置１に電源供給されていて、いつでもＰＣ６０との交信（アクセス）が可能である（モード番号２）。そして、ＰＣ６０が電源オンで、かつ実際にプラグ装置１とアクセスを行い所定の交信している状態もあり得る（モード番号３、４）。
【００２８】
このアクセスには、メモリ部１４とのアクセスの場合（モード番号３）と、メモリ部１９とのアクセスの場合（モード番号４）とがある。モード番号３の場合は、電力導入部１７によって電力が供給された状態のメモリ制御部１３およびメモリ部１４が実際に動作している。モード番号４の場合は、電力導入部１７によって電力が供給された状態のメモリ部１９が実際に動作している。
【００２９】
次に、モード番号５から８は、リーダライタ５０がプラグ装置１とアクセスしている状態（つまりリーダライタ５０をプラグ装置１に近接させた状態）のときのモードである。この場合であって、ＰＣ６０が電源オフであるときは、リーダライタ５０をエネルギー源とする電力により、メモリ部１４やメモリ制御部１３がオンとされ、プラグ装置１（のメモリ部１４）とリーダライタ５０との交信が可能である（モード番号５）。ＰＣ６０が電源オフ（電池切れの場合もあり得る）でもこれに接続されたプラグ装置１と交信できる点は、非接触通信の利点である。
【００３０】
リーダライタ５０がプラグ装置１に近接したときに、ＰＣ６０の側が電源オンになっている場合もあり得る（モード番号６）。この場合は、リーダライタ５０のプラグ装置１への近接に伴い、非接触通信が通常のようになされる。非接触通信は、リーダライタ５０の、プラグ装置１への近接がその開始のトリガになるからである。この場合の非接触通信では、プラグ装置１は、ＰＣ６０の側から常時、電力供給を受けているので、リーダライタ５０をエネルギー源とする電力で駆動されるには及ばない。
【００３１】
このプラグ装置１では、この場合、さらに、リーダライタ５０から電波被照射中であることを示す信号（電磁界検出信号）をプラグ装置１からＰＣ６０に送出する。これは、前述したように、検出信号出力部１８の機能による。この信号を受けたＰＣ６０は、これにより、プラグ装置１が何らかの非接触通信を行っていることを了知することができる。この了知により、例えば、ＰＣ６０は、非接触通信との競合が起こらないように、プラグ装置１のメモリ部１４へのアクセスを控えるというような対処が可能である。このような対処は、電磁界検出信号を受けたＰＣ６０の側の設定によるところである。
【００３２】
また、リーダライタ５０がプラグ装置１に近接したときに、ＰＣ６０の側が電源オンになっていてかつ実際にプラグ装置１のメモリ部１４に対してＰＣ６０が通信中（アクセス中）であることもあり得る（モード番号７）。この場合も、モード番号６の場合と同様に、リーダライタ５０のプラグ装置１への近接に伴い、非接触通信が開始される。非接触通信は、リーダライタ５０の、プラグ装置１への近接がその開始のトリガになるからである。この場合の非接触通信も、プラグ装置１は、ＰＣ６０の側から常時、電力供給を受けているので、リーダライタ５０をエネルギー源とする電力で駆動されるには及ばない。
【００３３】
このようにＰＣ６０がプラグ装置１のメモリ部１４に対して通信中に、リーダライタ５０とプラグ装置１との非接触通信が開始された場合も、上述のように電磁界検出信号をプラグ装置１からＰＣ６０に送出する。この信号を受けたＰＣ６０は、これにより、プラグ装置１が何らかの非接触通信を行っていることを了知し、非接触通信との競合が起こらないように、この場合はプラグ装置１のメモリ部１４へのアクセスを中断することができる。このような対処は、電磁界検出信号を受けたＰＣ６０の側の設定によるところである。
【００３４】
このように、プラグ装置１のメモリ部１４とＰＣ６０との通信より、プラグ装置１とリーダライタ５０との非接触通信の方を優先する考えによれば、リーダライタ５０の、プラグ装置１への近接が常に非接触通信の開始トリガになり、使い勝手の良い非接触通信が実現する。ただし、どちらを優先するかの点は、ＰＣ６０の側の設定によるところであり、次のようにもできる。すなわち、電磁界検出信号を受けたＰＣ６０が、プラグ装置１へのアクセスを中断する代わりに、中断せずに例えば警告音を発して非接触通信が拒否された旨をリーダライタ５０の使用者に報知するというような考えもあり得る。
【００３５】
最後に、リーダライタ５０がプラグ装置１に近接したときに、ＰＣ６０の側が電源オンになっていてかつ実際にプラグ装置１のメモリ部１９に対してＰＣ６０が通信中（アクセス中）であることもあり得る（モード番号８）。この場合も、モード番号６の場合と同様に、リーダライタ５０のプラグ装置１への近接に伴い、非接触通信が開始される。電力供給についても上記のモード番号６の場合と同様である。また、この場合に、リーダライタ５０から電波被照射中であることを示す信号（電磁界検出信号）をプラグ装置１からＰＣ６０に送出する点も同様である。
【００３６】
なお、このモード番号８の場合は、モード番号７の場合とは異なり、メモリ部１４を巡って非接触通信とＰＣ６０からのアクセスとが直ちに競合するわけではないので、両者が並立的に動作することが可能である。すなわちＰＣ６０からのメモリ部１９へアクセスを中断するには及ばない。ただしこのときに、電磁界検出信号を受けたＰＣ６０が、非接触通信との競合が起こらないように、プラグ装置１のメモリ部１４へのアクセスを控えるというような対処を行い得る点は、上記のモード番号６において説明したとおりである。
【００３７】
以上説明したプラグ装置１は、単なる非接触データキャリアとは次の点で異なる。すなわち、メモリ部１４に書き込まれるデータが非接触データ通信を由来とするものに限らず、ＰＣ６０の側を由来とするデータもあり得る。つまり、非接触データ通信で扱われるデータが、ＰＣ６０と連動した動的データ（可変値）になり得る。よって、プラグ装置１が接続されたＰＣ６０は、単に、ＰＣ６０に非接触データキャリアを備えさせたものとは異なるのみならず、ＰＣ６０の側から見ても、外から情報を簡便に取り入れることが可能な、便利な非接触通信媒体を備えたものになっている。
【００３８】
また、このプラグ装置１は、大容量のメモリ部１９を備える点では、通常のＵＳＢメモリとして機能するが、これに加えて、無線側および有線側の双方からアクセスが可能なメモリ部１４を備えることが大きな応用上の利点になる。すなわち、これらの協働を利用して、以下のように応用が考えられる。
【００３９】
基本的に、メモリ部１４を仲介とするリーダライタ５０とＰＣ６０との間の通信は、リーダライタ５０から各種のコマンドをＰＣ６０に受け渡し（またはリーダライタ５０から所定のコマンドの指定をＰＣ６０に伝送し）、さらにその応答のコマンドを今度は逆方向にＰＣ６０からリーダライタ５０に受け渡すために用いることができる。応答の側の受け渡しは、時間的に直ではなく所定経過後であることも考えられる。一方で、これらの受け渡しや伝送で特定されたり派生したりした、メモリ部１４に収まらない（大容量の）ファイルの本体については、ＰＣ６０からメモリ部１９にコピーする、またはメモリ部１９からＰＣ６０にコピーする、というように扱うことができる。プラグ装置１が手軽な可搬性を有し得る点が、さらに活用される。
【００４０】
以上説明したように、このプラグ装置１をＰＣ６０に接続した場合、リーダライタ５０側との相互動作とＰＣ６０側との相互動作とを調和的に行わせることが可能であり、これにより、上記のような新規な応用に寄与することができる。プラグ装置１は、リーダライタ５０とは異なりパッシブな存在のものであり、強電界の電波を出さないので、電波規制の対象にならず応用できる機器に大きな広がりが期待できる。また、リーダライタ５０であるスマートフォンがＰＣ６０と機能的に相互に連動できるようになり、スマートフォンを介して異なるＰＣ６０間でも緊密な連携が可能になる。ＰＣ６０をクラウド上の情報やＳＮＳに連携させることも容易になる。
【００４１】
次に、図１に示したプラグ装置１を配線基板を用いて実現した場合の構成例について説明する。図３は、このような実現を図った配線基板の例を示す模式的な上面図である。図３において、図１中に示した構成要素と同一または対応するものには同一符号を付してある。
【００４２】
図３に示すように、このプラグ装置は、配線基板２１を用い、その上に必要な電気的要素を実装して構成されている。コイルアンテナ１０は、配線基板２１上に形成された配線パターンにより渦巻状に設けられている。配線基板２１は、配線層を両面に備えた両面基板のほか、３層以上の配線層を備えた多層配線板を用いてもよく、それらの場合にはコイルアンテナ１０は、これらの複数の配線層に渡ってひとつのループになるように形成され得る。
【００４３】
そしてこのプラグ装置は、無線側接続部１１、電力発生部１２、メモリ制御部１３、メモリ部１４、有線側接続部１６、電力導入部１７、検出信号出力部１８をワンチップにまとめて集積した不揮発性メモリ内蔵通信制御ＩＣ１００を用いている。これにより、非常にコンパクトなまとまりになる。メモリ部１４には、書き換え不能に識別ＩＤを備えさせることができ、これにより、リーダライタの側からプラグ装置としての識別が可能になる。メモリ部１４の書き換え可能な領域は、ユーザに開放される。その容量は、例えば、２ｋＢから８ｋＢである。不揮発性メモリ内蔵通信制御ＩＣ１００の無線インターフェースの規格としては、例えばＩＳＯ１５６９３を使用することができる。
【００４４】
不揮発性メモリ内蔵通信制御ＩＣ１００の有線インターフェースの側には、有線側接続部１６の機能を有するＩＣを用いている。ＩＣ１００の有線側のプロトコルに、例えばＩ２Ｃが使用される場合には、有線側接続部１６の機能を有するＩＣは、このプロトコルを端子部１５としてのＵＳＢコネクタに適用できる形式の信号に変換する（逆方向の変換も同様に行う）。有線側接続部１６には、電気的にメモリ部１９も接続されている。このプラグ装置では、メモリ部１９が、配線基板２１の裏面の側に実装されている。
【符号の説明】
【００４５】
１…プラグ装置、１０…コイルアンテナ、１１…無線側接続部、１２…電力発生部、１３…メモリ制御部、１４…メモリ部、１５…端子部、１６…有線側接続部、１７…電力導入部、１８…検出信号出力部、１９…メモリ部、２１…配線基板、５０…リーダライタ（スマートフォン）、６０…ＰＣ（ホストＣＰＵ）、１００…不揮発性メモリ内蔵通信制御ＩＣ。
【図１】
2013156740.tif 000003
【図２】
2013156740.tif 000004
【図３】
2013156740.tif 000005